(57)【要約】【課題】電気機器筺体用扉の裏面に電気器具類を取付けるレールが、レール本体とレール用サポートとの２部材で構成されていたため取付け工程数が増え作業性を悪くしていた。【解決手段】扉裏面に電気器具類を装備した電気機器筺体用扉において、外側壁に、所定の間隔をおいて配線用支持体２を着脱自在に取付けるための長手取付側面部を設けると共に、上端部に、仕様に応じて制御器具類を適宜取付けるための長手取付端縁部を設けた一対の器具取付用衝立て部材１１Ａ、１１Ｂと、この両器具取付用衝立て部材の内側壁間に跨って設けられ、両器具取付用衝立て部材を一体に接合する支持部材１１Ｃとによって断面略Ｈ形状の一体化レール１１を形成し、この一体化レールの支持部材の延長両端部にそれぞれ楕円状取付孔１１ｅを設け、この楕円状取付孔に挿通した締付固定具によって、一体化レール１１を扉裏面に直接又はフレーム３を介し間接的に装着したものである。【選択図】図１
2014150605.tif 000002
【特許請求の範囲】
【請求項１】
扉裏面に電気器具類を装備した電気機器筺体用扉において、
外側壁に、所定の間隔をおいて配線用支持体を着脱自在に取付けるための長手取付側面部を設けると共に、上端部に、仕様に応じて制御器具類を適宜取付けるための長手取付端縁部を設けた一対の器具取付用衝立て部材と、
この両器具取付用衝立て部材の内側壁間に跨って設けられ、上記両器具取付用衝立て部材を一体に接合する支持部材とによって断面略Ｈ形状の一体化レールを形成し、この一体化レールの支持部材両端部は、上記器具取付用衝立て部材より延長され、その延長両端部にそれぞれ取付孔を設け、この取付孔に挿通した締付固定具によって、上記一体化レールを上記扉裏面に直接又はフレームを介し間接的に装着したことを特徴とする電気機器筺体用扉。
【請求項２】
上記扉裏面に並設された複数の上記一体化レールのうち、互いに隣接する上記一体化レールに、上記配線用支持体を互い違いに配置することによって配線用ダクトを形成したことを特徴とする請求項１記載の電気機器筺体用扉。
【請求項３】
上記器具取付用衝立て部材に取付けた複数の上記配線用支持体のうち一部を取外すことによって、又は事前に上記配線用支持体を取付けないで上記扉裏面に電気器具類を直接取付けるための電気器具類取付面部を確保したことを特徴とする請求項１記載の電気機器筺体扉。
【発明の詳細な説明】
【技術分野】
【０００１】
この発明は、配電盤、制御盤等に採用される電気機器筺体用扉に関するものである。
【背景技術】
【０００２】
電気機器筺体用扉裏の器具取付範囲には、器具の取付けを行うために多くのレール、レール用サポート、ダクトが用いられている。
例えば、図８に示した従来の扉では、電気機器筺体扉１００の裏面側に制御器具１０５を取付ける場合、器具取付及び配線作業の関係から、扉の縦方向に配置したＺ状フレーム１０２と横方向（巾方向）に配置した器具取付用レール１０１の組み合わせで制御機器とレールを取付けていた。
【０００３】
特許文献１には、軽量形鋼材の所定位置に取付ける作業を容易に行うことができる配設体が提案されている。
特許文献２には、３分割した分電盤のフレームの組み合わせにより長さの異なる種類の物が作れる分電盤フレームが提案されている。
【０００４】
特許文献３には、筐体に取付けられ、機器の取付け、配置変換、及び追加を容易に行うことが可能な配電盤扉として、制御機器取付用のフレームを無くし、棒状に形成され横方向の任意の位置に機器を取付け可能な状態とした機器取付バーと、枠状に形成され前記機器取付バーを縦方向の任意の位置で保持可能な状態で保持する縦方向可動機構を有するフレームとを備えた配電盤扉が提案されている。
【０００５】
又、特許文献４の図４において、扉の背面部には、パネル状の金属材料又は絶縁材料からなる取付部材が取付フレームを介して扉に固定され、該取付部材の上下方向の略中央部には補助リレー群が水平方向に並べて固定され、補助リレー群の上部には第１水平配線ダクトが、又、下部には第２水平配線ダクトが、それぞれ取付部材との間に所定の間隙を有し、かつ扉の裏面からの取付け高さが、第２の配線ダクトと同等の高さとなる位置に固定された配電盤が提案されている。
【先行技術文献】
【特許文献】
【０００６】
【特許文献１】特開２００８−９２６４６号公報
【特許文献２】実用新案登録第３００９３５５号公報
【特許文献３】特開２０１２−３９８０８号公報
【特許文献４】特開２０１１−２４３５９号公報
【発明の概要】
【発明が解決しようとする課題】
【０００７】
図８に示した従来の電気機器筺体扉１００では、レール本体１０１Ａとレール用サポート１０１Ｂがセットで使われることが多いにもかかわらず、これが分離されていたため、レール本体１０１Ａの取付けの際にはＺ状フレーム１０２の上にまずレール用サポート１０１Ｂの取付けを行い、そのレール用サポート１０１Ｂ上にレール本体１０１Ａを取付けるという１工程多い作業を繰り返していたので作業性が悪くなっていた。
又、図示しないが、レール本体１０１Ａを使わずにレール用サポート１０１Ｂに直接取付ける器具があった場合でも、レール用サポート１０１Ｂとレール本体１０１Ａを器具取付前に固定する必要があるため、まずＺ状フレーム１０２にレール用サポート１０１Ｂを取付けその上にレール本体１０１Ａを取付け、そのあとで器具取付けを行っている。
【０００８】
さらに、器具の配線を収納するダクトＤも、器具付けを行う際の手順と同様にＺ状フレーム１０２にレール用サポート１０１Ｂを取り付け、その上にダクトＤの取付けを行っているため、器具取付範囲がダクトＤによって縮小を余儀なくされている。
【０００９】
又、ダクトＤは、配線を収納するものなので、多くの制御器具から上下方向に配線が伸びているためダクトＤも制御器具に接触しないように制御機器から距離をとって上下に２つ取付けを行う必要がある。このため器具取付けを行った範囲とダクトＤの大きさ分の範囲により、多くの制御器具を取付ける際に邪魔となり、器具取付範囲が狭まる。
【００１０】
この発明は、上記のような問題点を解決するためになされたものであり、作業性の向上と器具取付範囲の拡大を得ることを目的としており、さらに、各特許文献には開示されていない新たな制御器具の取付方法と配線方法を搭載した電気機器筺体用扉を提供することを目的としたものである。
【課題を解決するための手段】
【００１１】
この発明に係わる電気機器筺体用扉は、扉裏面に電気器具類を装備した電気機器筺体用扉において、外側壁に、所定の間隔をおいて配線用支持体を着脱自在に取付けるための長手取付側面部を設けると共に、上端部に、仕様に応じて制御器具類を適宜取付けるための長手取付端縁部を設けた一対の器具取付用衝立て部材と、この両器具取付用衝立て部材の内側壁間に跨って設けられ、上記両器具取付用衝立て部材を一体に接合する支持部材とによって断面略Ｈ形状の一体化レールを形成し、この一体化レールの支持部材両端部は、上記器具取付用衝立て部材より延長され、その延長両端部にそれぞれ取付孔を設け、この取付孔に挿通した締付固定具によって、上記一体化レールを上記扉裏面に直接又はフレームを介し間接的に装着したものである。
【発明の効果】
【００１２】
この発明の電気機器筺体用扉によれば、レール用サポートとレールを一体化させることで作業性の向上、部品点数の削減、器具取付範囲の拡大、ダクトの不要化、配線用支持体着脱可能による器具取付範囲の有効利用等の効果がある。
すなわち、この発明の一体化レールは、レールとレール用サポートが一体化したものであり、取付けの際にはフレームに一体化レールの取付けを行う１工程だけで取付作業が済み無駄な作業がなくなるので作業性が向上する。又、一体化レールの外側壁面に取付けた配線用支持体は、配線を収納する機能を有しダクトＤの代用品としての働きを有するので、本来のダクトＤの取付けを省略できる。さらに、配線用支持体は、一体化フレームの外側壁面に取付けられるため無駄なスペースがなくなり本来のダクトＤを張るよりも狭いスペースで配線用収納スペースを確保することが容易となる。又、配線用支持体は、着脱可能としたため配線が少ない箇所であれば、配線用支持体を外すことで配線用支持体分の器具取付範囲を確保することも可能である。
【図面の簡単な説明】
【００１３】
【図１】この発明の実施の形態１における一体化レールを示す斜視図である。
【図２】この発明の実施の形態１における一体化レールに配線用支持体を取付けた状態を模式的に示した断面図である。
【図３】図２の一体化レールに制御器具を取付けた状態を模式的に示した断面図である。
【図４】（ａ）は、図２の一体化レールを用いて制御器具の取付けを行った配電盤扉部を裏側から見た説明図、（ｂ）は従来の配電盤扉部を裏側から見た説明図である。
【図５】この発明の実施の形態２における一体化レールを示し、２本の一体化レールと配線用支持体との組み合わせによって配線ダクト部を形成した状態を模式的に示した説明図で、（ａ）は断面図、（ｂ）は（ａ）を縮小して示した平面図である。
【図６】この発明の実施の形態３を示し、フレームに取付けた一体化レールから配線用支持体を局部的に取外し電気機器筺体用扉を裏側から見た説明図である。
【図７】この発明の実施の形態３の変形例で、図６からＺ状フレーム３を取外して、一体化レールを電気機器筺体用扉に直接取付けた変形例を示し、その扉を裏側から見た説明図である。
【図８】従来の器具取付構造の一部を示す断面図である。
【発明を実施するための形態】
【００１４】
以下、図面に基づいて、この発明の各実施の形態を説明する。
なお、各図間において、同一符号は同一あるいは相当部分を示す。
【００１５】
実施の形態１．
まず、図１、図２に基づいて実施の形態１に係る一体化レール１１の構成を説明する。図１は、一体化レールを示す斜視図、図２は、一体化レールに配線用支持体を取付けた状態を模式的に示した断面図である。
図１、図２において、一体化レール１１は、断面がＨ型に似た形状のもので、従来のレール用サポート１０１Ｂとレール本体１０１Ａを一体化し両者の機能を合わせ持った器具取付用のレールである。
すなわち、この一体化レール１１は、一対の器具取付用衝立て部材１１Ａ、１１Ｂと、接合部材である支持部材（以下「接合部材１１Ｃ」という）とで構成され、後述のように断面略Ｈ形状に形成されている。
【００１６】
器具取付用衝立て部材１１Ａ、１１Ｂは、外側壁に、所定の間隔をおいて断面略コ字形状の配線用支持体（以下「配線用金具」という）を着脱自在に取付けるための長手取付側面部１１Ａｓ、１１Ｂｓが設けられ、上端部には、仕様に応じて制御器具５を適宜取付けるための長手取付端縁部１１Ａｕ、１１Ｂｕが設けられている。
なお、長手取付側面部１１Ａｓ、１１Ｂｓには、所定の間隔をおいて配線用金具取付孔１１ｄが多数あけられている。又、長手取付端縁部１１Ａｕ、１１Ｂｕは、制御器具５が取付け易いよう屈曲状に形成されている。そして、配線用金具２は、配線用金具側取付孔２ａから配線用金具取付孔１１ｄに挿通したボルト（図示せず）によって一体化レール１１に対し着脱自在に取付けられている。
【００１７】
接合部材１１Ｃは、器具取付用衝立て部材１１Ａ、１１Ｂの内側壁１１Ａｎ、１１Ｂｎ間に跨って設けられ、器具取付用衝立て部材１１Ａ、１１Ｂを一体に接合し、器具取付用衝立て部材１１Ａ、１１Ｂとによって断面が略Ｈ型に形成さている。
又、接合部材１１Ｃの両端部は、器具取付用衝立て部材１１Ａ、１１Ｂより延長され、その延長両端部１１ＣＣには、それぞれ楕円状取付孔１１ｅが設けられている。
そして、一体化レール１１は、この楕円状取付孔１１ｅに挿通した例えば、ねじなどの締付固定具（図示せず）によって扉裏面１００Ａに直接（後述の図７参照）又はＺ状フレーム３（後述の図６参照）を介し間接的に取り付けられている。
【００１８】
制御器具５は、図３に示すように長手取付端縁部１１Ａｕ、１１Ｂｕの屈曲部に載置され、制御器具固定具５１、５２で安定状態で固定される。
一体化レール１１に対する配線用金具２の取付け個数は、電線の量に応じて、どの程度の取付け個数にすれば良いか判断して行われる。
一体化レール１１は、従来のレール本体１０１Ａとレール用サポート１０１Ｂの機能を併せ持ち、単体のレールとでは強度が異なりレール単体より強度が増すため、一体化レール１１に制御器具５の取付けを行ってからＺ状フレーム３への取付けができる。これにより、配電盤扉部に、器具取付用レール１０１がなくとも制御器具５の取付けが可能となり、作業性の向上につながる構造にすることができる。
【００１９】
図４は、器具取付けを行った電気機器筺体用扉（配電盤扉部）を裏側から見た図で、（ａ）はこの実施の形態１の実施例を示し、（ｂ）は従来例の場合を示すものである。
図４（ａ）と（ｂ）を比較すると、従来例の（ｂ）ではダクトＤをダクト用支持体に取付けていたが、（ａ）ではこのダクトＤが不要になり、ダクトＤの取付けを行っていたスペースに空間が生まれ器具取付範囲が広がり、例えば従来より多くの計測器具４、制御器具５の取付けができることが分かる。
【００２０】
実施の形態２．
図５に示す実施の形態２における一体化レールは、２本の一体化レール１１と配線用金具２とを組み合わせた実施例で、（ａ）は断面図、（ｂ）は（ａ）を縮小して示した平面図である。
この実施の形態２における一体化レール１１は、扉裏面１００Ａに並設された複数の一体化レール１１のうち、互いに隣接する一体化レール１１、１１に、配線用金具２を図５（ｂ）に示すように互い違いに配置し、配線用金具２と一体化レール１１との組み合せによって図５（ａ）に示すような配線用ダクト２Ｄを形成したものである。
このように、複数の一体化レール１１を用いてコの字型の配線用金具２を交互に交差させることで電線収納スペースの確保が可能となる。なお、配線用金具２は、上記実施の形態２のような組み合せ構造とせず単独で用いる場合(図１〜図３参照)は、配線用金具２に配線を行った電線束は、結線具挿通孔２ｂ、２ｃに挿通した結線具(図示せず)によって固定されダクトと同様の収線機能を有する。
【００２１】
実施の形態３．
実施の形態３を示す図６は、配線用金具２の着脱がどのようなところで利用されるかを表したもので、Ｚ状フレーム３に取付けた一体化レール１１から配線用金具２を局部的に取外した電気機器筺体用扉（配電盤扉部）１００を裏側から見た説明図、図７は、この発明の実施の形態３の変形例で、図６からＺ状フレーム３を取外して、一体化レールを電気機器筺体用扉（配電盤扉部）１００に直接取付けた変形例を示し、その扉を裏側から見た説明図である。
【００２２】
図６において、一体化レール１１は、Ｚ状フレーム３に取付けられており、器具取付用衝立て部材１１Ａ、１１Ｂに取付けた複数の配線用金具２のうち一部を間引き局部的に取外すことによって、扉裏面１００Ａに電気器具類を直接取付けるための電気器具類取付面部１００Ｂを確保したものである。又、この電気器具類取付面部１００Ｂは、事前に配線用金具２の取付け個数を制限すれば、その制限したスペースに電気器具類取付面部１００Ｂを確保できる。
又、図６のように計測器具４を取り付ける際、電気機器筐体用扉（配電盤扉部)）１００に取付穴をあけて取付けなければならない器具がある。この時、一体化レール１１の配線用支持体（配線用金具）２の一部が計測器具と接触し取付けができないことがある。そのような時、計測器具に接触する配線用支持体(配線用金具)２を取り外すことで一体化レール１１の取付が可能となり、狭いスペースでも一体化レール１１が取付けられ、より制御器具５を設置できるスペースが増加する。
【００２３】
実施の形態３の変形例を示す図７は、Ｚ状フレーム３を電気機器筐体用扉（配電盤扉部）１００に取り付けず一体化レール１１をねじ部１０に直接取り付ける。
これによりＺ状フレーム分だけ一体化レール１１の長さが伸び、より多くの制御器具５の取付が可能となる。
【００２４】
又、電気機器筺体用扉（配電盤扉部）１００に一体化レール１１をつける際には、一体化レール１１の左右両端の楕円状取付孔１１ｅは、楕円になっているので少しだけ上下に調整することが可能である。これにより一体化レール１１の位置を調整でき、取付けた際、器具間の距離が狭すぎる時などに距離をあけることができる。
【００２５】
このように図７の一体化レール１１は、Ｚ状フレーム３が無いために、図６のようにＺ状フレーム３をねじ部１０に取付けを行い、その上に一体化レール１１をねじ留めすると言う工程が無くなり、ねじ部１０に一体化レール１１を直接ねじ留めするだけの工程になり、工程数が減り作業性が向上する。又電気機器筺体用扉（配電盤扉部）１００に、ねじ部１０を増やすことで直接電気機器筺体用扉（配電盤扉部）１００に一体化レール１１を張ることが可能になり、Ｚ状フレーム３を無くすことができる。そして、Ｚ状フレーム３が無い分、器具取付範囲が拡大され、より多くの制御器具５の取付けが可能となる。
【００２６】
上記各実施の形態では、配電盤、及び制御盤を想定して説明したが、制御器具とその制御器具間の配線工事の伴う他の電気機器筺体の扉にも採用可能である。
なお、この発明は、その発明の範囲内において、各実施の形態を適宜、変形、省略することが可能である。
【符号の説明】
【００２７】
１１：一体化レール、１１Ａ、１１Ｂ：器具取付用衝立て部材、１１Ａｓ、１１Ｂｓ：長手取付側面部（外側壁面部）、１１Ａｕ、１１Ｂｕ：長手取付端縁部（屈曲状上端縁部）、１１Ａｎ、１１Ｂｎ：内側壁面部、１１Ｃ：支持部材（接合部材）、１１ＣＣ：延長両端部、１１ｄ：配線用金具取付孔、１１ｅ：楕円状取付孔、２：配線用支持体（配線用金具）、  ２ａ：配線用金具側取付孔、
２ｂ：結束具挿通孔、２ｃ：結束具挿通孔、２Ｄ：配線用ダクト、Ｄ：ダクト、
３：Ｚ状フレーム、  ４：計測器具、  ５：制御器具、５１、５２：制御器具固定具、１０：ねじ部、１００：電気機器筺体扉、１００Ａ：扉裏面、１００Ｂ：電気器具類取付面部、１０１：器具取付用レール、１０１Ａ：レール本体、１０１Ｂ：レール用サポート、１０２：Ｚ状フレーム、１０５：制御器具。
【図１】
2014150605.tif 000003
【図２】
2014150605.tif 000004
【図３】
2014150605.tif 000005
【図４】
2014150605.tif 000006
【図５】
2014150605.tif 000007
【図６】
2014150605.tif 000008
【図７】
2014150605.tif 000009
【図８】
2014150605.tif 000010